(57)【特許請求の範囲】
【請求項１】
駆動軸にギアが取り付けられた複数のモータと、
該複数のモータで回転され、複数のギアを備えた回転伝達機構と、
該回転伝達機構により上下に移動し、景品をキャッチするキャッチャーと、
前記モータと前記回転伝達機構とを内蔵するクレーン本体と、
前記回転伝達機構に入力ギア機構を介して連結される回転体と、
前記クレーン本体をＸ軸方向に移動させる枠体と、
を有し、
前記枠体側のギアと噛み合う家庭用クレーンゲーム機本体側のギア受けの一部が平面に形成されていることを特徴とする家庭用クレーンゲーム機。
【請求項２】
前記モータと前記回転伝達機構と前記回転体とは、前記キャッチャーのＸ軸方向、Ｙ軸方向およびＺ軸方向の移動に関連して、それぞれ分離して前記クレーン本体に設置されていることを特徴とする請求項１に記載の家庭用クレーンゲーム機。
【請求項３】
前記回転体は、前記クレーン本体に設置されたシャフトを回転させることにより、Ｘ軸方向およびＹ軸方向に前記クレーン本体を移動させることを特徴とする請求項１または２に記載の家庭用クレーンゲーム機。
【請求項４】
前記回転体は、前記クレーン本体に設置されたチェーン巻き取り部材を回転させることにより、Ｚ軸方向に前記キャッチャーを移動させることを特徴とする請求項１乃至請求項３の何れか記載の家庭用クレーンゲーム機。
【請求項５】
前記回転体は、前記クレーン本体の下部に設置されていることを特徴とする請求項１乃至請求項４の何れか記載の家庭用クレーンゲーム機。
【請求項６】
前記回転体は、前記クレーン本体のＸ軸の正方向側の側面に設置されていることを特徴とする請求項１乃至請求項５の何れか記載の家庭用クレーンゲーム機。
【請求項７】
前記回転体は、その一部が前記クレーン本体の内部から露出していることを特徴とする請求項１乃至請求項６の何れか記載の家庭用クレーンゲーム機。
【発明の詳細な説明】
【技術分野】
【０００１】
本発明は、キャッチャーで物品を取得して遊ぶことができる家庭用クレーンゲーム機に関する。
【背景技術】
【０００２】
従来から、ゲームセンターでよく見られるゲームとしてクレーンを制御して中の景品を取るクレーンゲームがある。このクレーンゲームは、クレーンゲーム機の内部に多くの景品が収納されており、遊技者はコインを投入し、横方向、縦方向の動作をボタンで制御して任意の位置でクレーンを停止させ、クレーンはこの位置でキャッチャーを開きながら下端まで降下し、この後キャッチャーを閉じながら上昇し、キャッチャーが上手く景品を掴むことができれば景品をもらえるというゲームである。
【０００３】
例えば、特許文献１には、Ｘ軸モータ可動信号を出力する第一ボタンと、Ｙ軸モータ可動信号を出力する第二ボタンと、制御装置を備えたメイン基板とを有する台座部と、台座部上に配置された透明で内部に景品を収納するための収納空間を有する収納部と、底面部が歯形に形成され底面部の側部に垂直に突出する立壁板を備えたキャッチャーと、キャッチャーのＸ軸、Ｙ軸及びＺ軸方向の可動を制御するクレーン本体とを有するクレーン部と、を備えた家庭用クレーンゲーム機が開示されている。
【先行技術文献】
【特許文献】
【０００４】
【特許文献１】特許第４７８７１２４号公報
【発明の概要】
【発明が解決しようとする課題】
【０００５】
しかしながら、家庭用クレーンゲーム機を長期間使用するとクレーン本体内部のギアに塗布されたグリスが減少したり、ごみが詰まりギアやシャフトが動かなくなってしまう場合がある。家庭用クレーンゲーム機を長期間使用してクレーン本体やキャッチャーが動かなくなってしまうトラブルが発生した場合に、クレーン本体やキャッチャーを手で無理に動かそうとして壊れてしまうという問題があった。
【０００６】
本発明の目的は、容易に回転伝達機構の動作を復帰させることができる家庭用クレーンゲーム機を提供する。
【課題を解決するための手段】
【０００７】
本発明に係る家庭用クレーンゲーム機は、駆動軸にギアが取り付けられた複数のモータと、該複数のモータで回転され、複数のギアを備えた回転伝達機構と、該回転伝達機構により上下に移動し、景品をキャッチするキャッチャーと、前記モータと前記回転伝達機構とを内蔵するクレーン本体と、前記回転伝達機構に入力ギア機構を介して連結される回転体と、前記クレーン本体をＸ軸方向に移動させる枠体と、を有し、前記枠体側のギアと噛み合う家庭用クレーンゲーム機本体側のギア受けの一部が平面に形成されている。
【０００８】
また、前記モータと前記回転伝達機構と前記回転体とは、前記キャッチャーのＸ軸方向、Ｙ軸方向およびＺ軸方向の移動に関連して、それぞれ分離して前記クレーン本体に設置されている。
【０００９】
また、前記回転体は、前記クレーン本体に設置されたシャフトを回転させることにより、Ｘ軸方向およびＹ軸方向に前記クレーン本体を移動させる。前記回転体は、前記クレーン本体に設置されたチェーン巻き取り部材を回転させることにより、Ｚ軸方向に前記キャッチャーを移動させる。
【００１０】
また、前記回転体は、前記クレーン本体の下部に設置されている。前記回転体は、前記クレーン本体のＸ軸の正方向側の側面に設置されている。前記回転体は、その一部が前記クレーン本体の内部から露出している。
【発明の効果】
【００１１】
本発明によれば、回転体を手動で回転させることにより、容易に回転伝達機構の動作を復帰させることができる。
【図面の簡単な説明】
【００１２】
【図１】本発明の実施形態に係るクレーンゲーム機の斜視図である。
【図２】本発明の実施形態に係る収納部の屋根を取り外した上面図である。
【図３】本発明の実施形態に係るクレーン本体の斜視図である。
【図４】本発明の実施形態に係るクレーン本体内部の正面側の斜視図である。
【図５】本発明の実施形態に係るクレーン本体内部の裏面側の斜視図である。
【図６】本発明の実施形態に係るクレーン本体内部の正面側の分解斜視図である。
【図７】本発明の実施形態に係るクレーン本体内部の裏面側の分解斜視図である。
【図８】本発明の実施形態に係るキャッチャーを示す斜視図である。
【図９】本発明の実施形態に係るキャッチャーを示す分解図である。
【図１０】本発明の実施形態に係るメイン基板の制御ブロック図である。
【発明を実施するための形態】
【００１３】
以下、図に基づいて本発明の実施形態を説明する。図１は、本発明の実施形態に係るクレーンゲーム機の斜視図である。クレーンゲーム機１は、キャッチャーを操作して景品の上部の位置にキャッチャーを合わせることで景品を掴み取ることができ、家庭で遊戯するためのものである。
【００１４】
クレーンゲーム機１は、クレーンゲーム機１の土台となり内部に空間を有する台座部２と、景品６が収納された収納部３と、収納部３の上部に位置するクレーン部４と、収納部３及びクレーン部４の上部を覆う屋根５とを備えるものである。尚、以下の説明においてクレーンゲーム機１の左右横方向をＸ軸、正面から背面の縦方向をＹ軸、上部から底部の高さ方向をＺ軸とする。
【００１５】
そして、台座部２は、略直方体形状で上面と底面を有する台座部本体２１と、台座部本体２１の上面に配置される景品載置板２２と、台座部本体２１の上部正面側に配置され、コイン投入口２３や第一ボタン２４、第二ボタン２５を有する制御部設置板２６と、台座部本体２１の底面に配置される底面板とから構成されている。
【００１６】
この台座部本体２１の正面には、左端部近傍に方形状の景品取り出し口３１と、右端部近傍にコインを収納した空間からコインを出し入れするためのコイン収納口３２とを有している。また、景品取り出し口３１は周縁を周縁カバー３４により覆われており、景品取り出し口３１の下端には景品受け皿３５が突出して配置されている。
【００１７】
この景品受け皿３５は、方形状で角丸の平板と、この平板の景品取り出し口３１と接する縁を除く周縁から垂直に突出した厚肉の周縁壁とから構成されているものであり、平坦で台座部本体２１より突出して形成されていることで幼児が景品６を取り出し易くしていると共に、景品取り出し口３１から景品６が飛び出すのを防止しているものである。
【００１８】
また、コイン収納口３２はクレーンゲーム機１の手前側の側面下部に形成され、コイン収納口３２の奥はコインを収納する空間になっている。コイン収納口３２はつまみの付いた蓋で覆われ、つまみを押しながら蓋を開けることでコインを取り出すことが可能となる。
【００１９】
そして、台座部本体２１の背面には図示しないがクレーンゲーム機１の主スイッチを備えている。また、台座部本体２１の底面には主電力となる電池を収納する電池収納箱が配置され、更に、各種の音声を出力する音声出力装置を備えている。
【００２０】
また、景品載置板２２は、方形板の所定の角部に方形状の切り欠け部を有するＬ字状の板であり、中央を僅かに低くするように中心に向かって緩やかに傾斜しているものである。この傾斜により収納部３の景品６が少なくなった場合、中心に向かって景品６が自動的に集まり、景品６の把持が容易となる。
【００２１】
そして、この景品載置板２２の切り欠け部には、図１に示すように、台座部本体２１の正面端部近傍に形成された景品取り出し口３１と連結する景品落下口３７が位置し、この景品落下口３７の周縁には透明の景品誘導壁３６が垂直に突出している。この景品誘導壁３６は、クレーン部４のキャッチャー６５が把持した景品を景品落下口３７に落下させるときに景品６を景品落下口３７に誘導するものである。
【００２２】
更に、台座部２の制御部設置板２６は、略方形状の板であり、正面に向かって僅かに斜行して配置されている。制御部設置板２６の右隅にはコイン投入口２３が形成されており、このコイン投入口２３の直下にコイン投入を検知するコイン投入センサが配置されている。また、制御部設置板２６の中央にかけて後述するクレーン本体のＸ軸方向（横方向）の可動を制御する第一ボタン２４と、クレーン本体のＹ軸方向（縦方向）の可動を制御する第二ボタン２５が順に敷設されており、第一ボタン２４及び第二ボタン２５の裏面側には、メイン基板が配置されているものである。
【００２３】
そして、このコイン投入センサは、コインが投入されるとコインに押されて内部のスイッチが作動するものである。また、主電源スイッチがＯＮの時にコインが投入されると音声が発生し第一ボタン２４が操作可能となるものであり、投入されたコインはコイン収納口３２に落下する。
【００２４】
また、景品落下口３７と景品取り出し口３１の間には景品６が通る通路が形成されており、この通路の側面には赤外線センサが配置されているものである。この赤外線センサは、景品６が景品落下口３７と景品取り出し口３１の間の通路を通過した場合に反応し、メイン基板に景品６の取得成功信号を出力するものである。
【００２５】
そして、収納部３は、図１に示すように、２本の支柱４１と、３面の透光板４２と、背面板４３と、内部に収納された景品６とを備え、背面にはキャラクター等が描かれた絵が配置されている。
【００２６】
また、支柱４１は、台座部２の後方の角部近傍に垂直に配置され固定されている。透光板４２は正面と側面とを囲っている。支柱４１と透光板４２との外側下部は台座部に垂直に形成された固定部４４で囲まれている。固定部４４の上部は波形が形成されている。この２つの支柱４１の間に背面板４３が固定されている。また、背面板４３の中央下部は開閉式のドア４５が取り付けられ、この背面板４３を固定する一端の支柱４１には、背面板４３を係止するための係止具を備えている。ドア４５を開くことにより、景品６を投入することができる。
【００２７】
また、クレーン部４は、図２に示すように、透光板４２や支柱４１の上部を覆う可動部支持枠５２と、可動部支持枠５２上を摺動する摺動枠５３と、摺動枠５３に取り付けられたクレーン本体５４と、図示しないがクレーン本体５４を覆う可動部カバーを備えるものである。
【００２８】
そして、可動部支持枠５２は、透光板４２や支柱４１の上部を覆う方形状の枠体であり、枠内面の正面側と背面側にはＸ軸摺動ラック５５が内側に向かって突出して形成されており、クレーン本体５４を備えた摺動枠５３がこのＸ軸摺動ラック５５に沿ってＸ軸方向に摺動するものである。また、可動部支持枠５２のＹ軸方向と平行な枠内面のＸ軸方向の原点位置に配置されたＸ軸スイッチ５８を備え、クレーン本体５４を備える摺動枠５３がＸ軸スイッチ５８を押圧するとＸ軸方向の可動を停止するものである。
【００２９】
摺動枠５３がＸ軸方向プラス側の限界位置に移動した場合、クレーン本体５４に内蔵された、後述するＸ軸の回転伝達機構の図示しないクラッチにつながり、摺動枠５３はＸ軸方向の可動を停止することができる。なお、可動部支持枠５２のＹ軸方向と平行な枠内面のＸ軸方向の限界位置にＸ軸スイッチを配置してもよい。
【００３０】
また、摺動枠５３は、方形状の枠体でＹ軸方向を長手方向とし、長手方向の長さは可動部支持枠５２内面のＹ軸方向の長さと略同一とされ、摺動枠５３のＹ軸方向に位置する両面の上部には上部枠が外側に向かって突出して形成され、当該上部枠の上面にＹ軸摺動ラック５７が形成され、摺動枠５３のＸ軸方向に平行な両端面の下部には下部枠が外側に向かって可動部支持枠５２の下方に突出するように形成され、Ｘ軸方向の両面の中央には上部から下部近傍まで後述するクレーン本体５４のＸ軸可動軸６２が位置する切抜きが形成されている。
【００３１】
Ｘ軸摺動ラック５５はＸ軸方向の原点位置の後部側の一部にギア受けではなく、平面５９が形成されている。クレーンゲーム機１を倒してしまったり、クレーンゲーム機１の移動中の振動により、摺動枠５３がＸ軸およびＹ軸に対して斜めに傾いてしまうことが想定される。
【００３２】
この場合でも、摺動枠５３がＸ軸方向の原点位置に復帰する際に、ギア受けの無い平面５９を通ると、後方側のギア１０６が空転して手前側のギア１０６だけがギア受けを噛むので、摺動枠５３はＸ軸およびＹ軸に対して平行である正常な位置に戻すことができる。
なお、Ｘ軸摺動ラック５５に形成された平面５９の位置はＸ軸方向の原点位置の後部側に限定されず、Ｘ軸摺動ラック５５の他の位置に形成されていてもよい。
【００３３】
次に、クレーン本体５４について、図３に基づいて説明する。クレーン本体５４は、内部が３つの区域に分離された略直方体形状の箱形である。クレーン本体５４のＹ軸方向と平行な外面の底部近傍には下部突起８４が形成され、ギアの一部が収まっている。また、このクレーン本体５４の下層の内部には、Ｘ軸可動及びＹ軸可動の動力となるＸ軸モータ及びＹ軸モータが配置されている。クレーン本体５４の正面には、Ｙ軸モータ９２の後部の一部が切欠き８５から現れている。
【００３４】
更に、図２に戻り、可動部支持枠５２のＸ軸摺動ラック５５と咬合する端部にギア１０６を備えたＸ軸可動軸６２と、摺動枠５３のＹ軸摺動ラック５７と咬合する端部にギア１２３を備えたＹ軸可動軸６３との端部がクレーン本体５４の側面より突出しており、内部には後述する各種のギアで構成されるＸ，Ｙ，Ｚの各軸毎の回転伝達機構が内蔵されている。
【００３５】
クレーン本体５４の正面の右側下部には、ローラ６８（回転体）が設置されている。ローラ６８を手動で正方向または逆方向に回転することにより、クレーン本体５４はＸ軸方向の正方向または逆方向に移動する。また、ローラ６９（回転体）は、クレーン本体５４の底面の後方端部に設置されている。ローラ６９を手動で正方向または逆方向に回転することにより、クレーン本体５４はＹ軸方向の正方向または逆方向に移動する。
【００３６】
また、クレーン本体５４の中間層にはキャッチャー６５の上昇及び下降の動力となるＺ軸モータと、後述する各種のギアが配置され、キャッチャー６５を釣り下げている二本の鎖が接続されており、図８に示すように、キャッチャー本体部７１に端部を結合させる第一チェーン６６と上部支持部７２に端部を結合させる第二チェーン６７としているものである。第一チェーン６６と第二チェーン６７との他の端部は、クレーン本体５４の底面の中央近傍に形成された穴７９，８０を通り、クレーン本体５４の内部に設置された後述する巻き取り部材に固定されている。
【００３７】
この第二チェーン６７はＺ軸モータの正回転時にキャッチャー６５全体を釣り下げた状態となるものであり、第一チェーン６６はＺ軸モータの逆回転時にキャッチャー６５全体を釣り下げた状態となるものである。
【００３８】
ローラ７０（回転体）は、図３に示すように、クレーン本体５４の側面で、摺動枠５３より上方の中央近傍に設置されている。ローラ７０の半分は、クレーン本体５４の内部に設置され、残り半分は外部に露出している。ローラ７０を手動で正方向または逆方向に回転することにより、第一チェーン６６と第二チェーン６７とはＺ軸方向の正方向または逆方向に移動する。
【００３９】
次に、クレーン本体５４に内蔵されたモータとギアとについて説明する。図４は、本発明の実施形態に係るクレーン本体内部の正面側の斜視図である。図５は、本発明の実施形態に係るクレーン本体内部の裏面側の斜視図である。図６は、本発明の実施形態に係るクレーン本体内部の正面側の分解斜視図である。図７は、本発明の実施形態に係るクレーン本体内部の裏面側の分解斜視図である。
【００４０】
クレーン本体５４は内部が３つの区域に分離され、Ｘ軸モータ９１，Ｙ軸モータ９２，Ｚ軸モータ９３と多数のギアとローラ６８，６９，７０とを有している。まず、図５，７に示すように、Ｘ軸モータ９１のシャフトに固定されたギア９７は、ギア９８ａに接続されている。ギア９８ａの中央のギア９６側には、ギア９８ａよりピッチ円直径が小さいギア９８ｂが形成されている。ギア９６とギア９８ａ，９８ｂとは、シャフト９９に固定されている。
【００４１】
また、Ｘ軸に関連するギアを手動で回転させるローラ６８は、クレーン本体５４の正面の下方端部に設置されている。ローラ６８は、裏面の中央にシャフト９４が固定され、シャフト９４の先端にギア９５が固定されている。ギア９５はギア９６と噛み合っている。ギア９５とギア９６とで入力ギア機構が形成されている。
【００４２】
更に、シャフト９９のギア９６側の先端には、ギア１００が固定されている。ギア１００の後面には円柱が固定され、円柱の後面はギア９６の前面に接している。ギア９８ｂはギア１０１ａと噛み合っている。ギア１０１ａの中央の前方側には、ギア１０１ａよりピッチ円直径が小さいギア１０１ｂが形成されている。ギア９６はギア１０１ｂと噛み合っている。ギア１０１が固定されているシャフト１０２の前方側には、ギア１０３が固定されている。ギア１００はギア１０３ａと噛み合っている。ギア１０３ａの中央の前方側には、ギア１０３ａよりピッチ円直径が小さいギア１０３ｂが形成されている。ギア１０３ｂの上方にギア１０４が設置され、ギア１０４はギア１０３ｂと噛み合っている。
【００４３】
ギア１０４は、Ｘ軸可動軸６２の先端より内側に固定されている。Ｘ軸可動軸６２の両端には、ギア１０６が固定されている。ギア１０６はＸ軸摺動ラック５５と噛み合っている。Ｘ軸モータ９１を起動するかローラ６８を手動で回転することにより、Ｘ軸可動軸６２を回転させることができ、クレーン本体５４をＸ軸方向に移動できる。
【００４４】
また、図４，６に示すように、Ｙ軸モータ９２のシャフトに固定されたギア１１４は、ギア１１５ａと噛み合っている。ギア１１５ａの歯は円形の面に垂直に形成され、円周上に並んでいる。ギア１１５ａの中央の上方側には、ギア１１５ａよりピッチ円直径が小さいギア１１５ｂが形成されている。ギア１１５ｂの歯は水平な円盤上に水平方向を向いて形成されている。ギア１１３の上方にギア１１６が固定されている。ギア１１６の下部には円柱が形成され、円柱の底面はギア１１３の上面に接している。ギア１１３とギア１１５とギア１１６とは、シャフト１１７に固定されている。
【００４５】
更に、Ｙ軸に関連するギアを手動で回転させるローラ６９は、クレーン本体５４の底面の後方端部に設置されている。ローラ６９は、裏面の中央にシャフト１１１が固定され、シャフト１１１の先端にギア１１２が固定されている。ギア１１２はギア１１３に接続されている。ギア１１２とギア１１３とで入力ギア機構が形成されている。
【００４６】
ギア１１５ｂはギア１１８ａと噛み合っている。ギア１１８ａの中央の上方側には、ギア１１８ａよりピッチ円直径が小さいギア１１８ｂが形成されている。ギア１１３はギア１１８ｂと噛み合っている。ギア１１８の上方には、ギア１１９がシャフト１２０に固定されている。ギア１１９ａの中央の上方側には、ギア１１９ａよりピッチ円直径が小さいギア１１９ｂが形成されている。ギア１１６はギア１１９ａと噛み合っている。ギア１１９ｂはギア１２１と噛み合っている。ギア１２１の歯は円形の面に垂直に形成され、円周上に並んでいる。ギア１２１はＹ軸可動軸６３の中央付近に固定されている。
【００４７】
Ｙ軸可動軸６３の両端には、ギア１２３が固定されている。ギア１２３はＹ軸摺動ラック５７と噛み合っている。Ｙ軸モータ９２を起動するかローラ６９を手動で回転することにより、Ｙ軸可動軸６３を回転させることができ、クレーン本体５４をＹ軸方向に移動できる。
【００４８】
また、Ｚ軸モータ９３のシャフトに固定されたギア１３３は、ギア１３２ａと噛み合っている。ギア１３２ａの中央の前方側には、ギア１３２ａよりピッチ円直径が小さいギア１３２ｂが形成されている。ギア１３２ｂの前方にギア１３４が固定され、ギア１３４の前方にギア１３５が固定されている。ギア１３５の後部には円柱が形成され、円柱の後面はギア１３４の前面に接している。ギア１３２ａ，１３２ｂとギア１３４とギア１３５とは、シャフト１３６に固定されている。
【００４９】
図３に示すように、Ｚ軸に関連するギアを手動で回転させるローラ７０は、クレーン本体５４の側面で、摺動枠５３より上方の中央付近に設置されている。ローラ７０の半分はクレーン本体５４の内部に収まり、残り半分は外部に露出している。図５，７に示すように、ローラ７０は前方に指で回転させる部分を有し、裏面にギア１３１が固定されている。ギア１３１は、ギア１３２ａと噛み合っている。ギア１３１とギア１３２ａとにより、入力ギア機構が形成されている。
【００５０】
図４，６に示すように、ギア１３２ｂはギア１３７ａと噛み合っている。ギア１３７ａの中央の前方側には、ギア１３７ａよりピッチ円直径が小さいギア１３７ｂが形成されている。ギア１３４はギア１３７ｂと噛み合っている。ギア１３７ｂの前方には、ギア１３８ａ，１３８ｂがシャフト１３９に固定されている。ギア１３８ａの中央の前方側には、ギア１３８ａよりピッチ円直径が小さいギア１３８ｂが形成されている。ギア１３８ａはギア１４０と噛み合っている。ギア１４０の後方にギア１４１が設置され、ギア１４０とギア１４１とは、シャフト１４２に固定されている。
【００５１】
ギア１４１の後方に第二チェーン６７を巻き取るための部材１４３がシャフト１４２に固定されている。部材１４３の後方に第一チェーン６６を巻き取るための部材１４４がシャフト１４２に固定されている。部材１４３には、第二チェーン６７の先端を固定する細い円柱形の固定部１４５が形成され、部材１４４には、第一チェーン６６の先端を固定する細い円柱形の固定部１４６が形成されている。
【００５２】
Ｚ軸モータ９３を起動するかローラ７０を手動で回転することにより、部材１４３，１４４を回転させることができ、クレーン本体５４の底面に形成された穴８０を通る第二チェーン６７と穴７９を通る第一チェーン６６とをＺ軸方向に移動できる。
【００５３】
ここで、クレーン本体５４をメンテナンスする方法について説明する。クレーンゲーム機１を長期間使用するとクレーン本体５４内部のギアに塗布されたグリスが減少したり、ごみが詰まりギアやシャフトが動かなくなってしまう場合がある。そこで、クレーン本体５４やキャッチャー６５が動かなくなってしまうトラブルが発生した場合に、ローラ６８，６９，７０を手動で回転させ、メンテナンスをすることができる。
【００５４】
図１，２に示すように、ローラ６８，６９，７０を手動で回転させる場合、背面板４３を取り外し、クレーンゲーム機１の背面側から手を入れてローラ６８，６９，７０を回転させる。図３に示すように、クレーン本体５４の正面の右側下部には、ローラ６８が設置され、クレーン本体５４の底面の後方端部にローラ６９が設置されている。ローラ６８，６９は、クレーン本体５４の下部に設置されているので、手で容易に回転することができる。また、ローラ７０は、クレーン本体５４の側面で、摺動枠５３より上方の中央近傍に設置されているが、Ｘ軸の正方向の側面にローラ７０の半分が露出している状態なので、手で容易に回転することができる。
【００５５】
また、図２に示すように、クレーン本体５４の上層には正面側にＹ軸スイッチ６０が配置され、Ｙ軸スイッチ６０の一部がクレーン本体５４の側面より突出している。Ｙ軸スイッチ６０は、クレーン本体５４がＹ軸方向の可動中に可動部支持枠５２の正面の枠に近接した場合、Ｙ軸スイッチ６０が摺動枠５３と触れて押圧され、Ｙ軸方向の可動を停止するものである。
【００５６】
クレーン本体５４がＹ軸方向プラス側の背面の枠に移動した場合、クレーン本体５４に内蔵された、Ｙ軸の回転伝達機構の図示しないクラッチにつながり、クレーン本体５４はＹ軸方向の可動を停止することができる。なお、クレーン本体５４の上層の背面側にＹ軸スイッチを配置してもよい。
【００５７】
更に、クレーン本体５４は、摺動枠５３の枠内に挿入してＹ軸可動軸６３のギア１２３とクレーン本体５４の下部突起により摺動枠５３を上下から挟み込んで配置されており、Ｙ軸可動軸６３のギア１２３はＹ軸摺動ラック５７と咬合している。また、摺動枠５３は、Ｘ軸可動軸６２のギア１０６と下部枠により可動部支持枠５２を上下から挟み込んで配置されており、Ｘ軸可動軸６２のギア１０６はＸ軸摺動ラック５５と咬合している。更に、このクレーン本体５４を配置した摺動枠５３は、図示しないが、可動部カバーにより覆われている。
【００５８】
なお、Ｙ軸摺動ラック５７の一部にギア受けではなく、平面を形成することにより、クレーン本体５４はＸ軸およびＹ軸に対して平行である正常な位置に戻すことができるようにしてもよい。
【００５９】
また、キャッチャー６５は、景品６を把持するためのものであり、図８，９に示すように、キャッチャー本体部７１と上部支持部７２とから形成されているものである。このキャッチャー本体部７１は、景品６を両側から把持し、組み合わさったときに景品６を把持する景品把持空間を有する２つの把持部材７３と、把持部の軸となる把持軸７４と、把持部材７３と把持軸７４を止めるピン７５から形成されている。
【００６０】
この把持部材７３は、底面部を歯形に形成されており、２つの把持部材７３が組み合わさったときには２つの把持部材の歯形部が噛み合わさって、図１に示すように、平面を形成して底面部となるものであり、歯形部を形成することにより景品６を把持するときに景品を把持しやすくなるものである。また、底面部が平面となるため、景品６がキャッチャー６５に把持されて可動する場合、景品６の重さでキャッチャー６５が開くことがない。更に、底面部の側端には立壁板７６が垂直に形成されており、景品６を把持しながらキャッチャー６５が可動するときに景品６が落下するのを防止している。
【００６１】
そして、歯形に形成された底面部の根元の位置近傍に斜行板が形成され、斜行板の他端から垂直な側板が形成されている。また、側板の両側上部には面形状の腕部７７が対向して突出しており、キャッチャー本体部７１の上部中央近傍には後述する上部支持部７２の回動突起８６が貫挿する回動穴８７が凸部８８に形成されている。尚、腕部７７は把持部材７３が組み合わさったときには、僅かに先端が上方に斜行するように形成されている。
【００６２】
更に、腕部７７の先端部にはピン７５が貫挿するピン貫装穴が形成されており、２つの把持部材７３が対向して組み合わさるため、一方の把持部材７３の腕部７７の先端部は内側を薄く形成され、他方の把持部材７３の腕部７７の先端部は外側を薄く形成して、両部材が組み合わさるようにしている。このピン貫装穴はピンの外形より大きく形成されており、金属製のピンが貫装した場合、ピンの外周縁をピン貫装穴が回動自在となっている。
【００６３】
また、把持軸７４は、中心部に湾曲部を有する円柱形状であり、湾曲部と対向する位置に第一チェーン６６が接続する第一チェーン接続部７８が形成され、円柱の上面と底面の中心部にはピン７５と接続するピン受け部が形成されている。
【００６４】
そして、キャッチャー本体部７１は、２つの把持部材７３が対向して腕部７７のピン貫装穴が同一軸上に来るように組み合わさっており、このピン貫装穴の軸上に把持軸７４の中心軸が位置するように配置され、ピン７５がピン貫装穴を貫装して把持軸７４のピン受け部に係着されている。このキャッチャー本体部７１は、把持部材７３が開いた状態の時に第一チェーン接続部を上部に引き上げると、把持部材７３の重さにより把持部材７３はピン７５を軸として回転し、２つの把持部材７３が対向して組み合わさることにより閉じた状態となるものである。
【００６５】
また、把持部材７３が閉じた時に形成される開口は、キャッチャー６５が可動したときに景品６がこの開口から転がり落ちることがないように景品６よりも小さく形成されているものであり、景品把持空間は景品６を把持しやすいように景品６と略同一の大きさに形成されているものである。
【００６６】
また、上部支持部７２は、図９に示すように、把持部材７３の凸部８８と接続する２つの支持部材８１と、２つの支持部材８１を連結する連結部材８２とから形成されている。この支持部材８１は、帯状の板の上下端部を丸く形成し、上下端部近傍の同一面上に突起を形成し、突起を有する面の所定の位置で鉤型に折り曲げた鉤型形状の２枚の板を、突起が対向するように配置して接続板により接続したものである。この支持部材８１の上部に形成されている突起は、後述する連結部材８２と回動自在に接続する連結突起とし、下部に接続されている突起は、把持部材７３の上部内側に形成された凸部８８の回動穴８７に回動自在に貫装する回動突起８６とするものである。
【００６７】
また、連結部材８２は、略直方体形状の板で、長手方向の角を丸く形成したものであり、短手方向の両面の両端部近傍に支持部材８１の連結突起が接続する連結穴が形成され、上面の中心から下面の中心まで上述した第一チェーン６６が貫通する貫通穴を有している。また、貫通穴の近傍には第二チェーン６７が接続する第二チェーン接続部８３が形成されている。
【００６８】
そして、上部支持部７２は、支持部材８１の連結突起を連結部材８２の連結穴に連結し、また、把持部材７３の凸部８８の回動穴８７に回動突起８６を接続することでキャッチャー本体部７１と上部支持部７２を接続し、更に、キャッチャー本体部７１の第一チェーン接続部７８に第一チェーン６６を連結部材８２の貫通穴を貫通させた後に接続し、上部支持部７２の第二チェーン接続部８３には第二チェーン６７を接続するものである。
【００６９】
このキャッチャー６５の下降時は、第二チェーン６７のみでキャッチャー６５を釣り下げる状態になるまでＺ軸モータを正回転させて第一チェーン６６を先に緩めることで、第一チェーン６６と接続しているキャッチャー本体部７１はピン７５の重さで把持軸７４が下方向に落下し、更に、上部支持部７２の連結部材８２に引かれて２つの支持部材８１が近接するように動き、これにより把持部材７３は開き、この結果支持部材８１と接続している把持部材７３が腕部７７の回動穴の地点で上部に引かれることになり把持軸７４を中心に把持部材７３が開く。そして、把持部材７３が完全に開いてから第一チェーン６６に追従するように第二チェーン６７を繰り出していくことによりキャッチャー６５を下降させるものである。
【００７０】
また、キャッチャー６５の上昇時には、キャッチャー本体部７１と接続している第一チェーン６６のみでキャッチャー６５全体を釣り下げた状態となるまでＺ軸モータを逆回転させて第一チェーン６６のみを巻き上げると、把持軸７４が上部に引かれるため把持部材７３は把持軸７４を中心に閉じる。そして、把持部材７３が完全に閉じた後に第一チェーン６６に追従するように第二チェーン６７の巻き上げを開始することでキャッチャー６５は上昇するものである。
【００７１】
そして、クレーン本体５４はキャッチャー６５の上昇時には第一チェーン６６の巻き上げを先に開始しその後第二チェーン６７の巻き上げを開始するため、第一チェーン６６は緊張してキャッチャー６５が閉じた状態で引き上げられ、キャッチャー６５の下降時には第一チェーン６６を先に緩めるため第二チェーン６７が緊張しキャッチャー６５が開いた状態で下降するものである。
【００７２】
また、図１に示すように、屋根５は、キャラクター等の絵が描かれ、収納部３の上部を覆うように配置するものである。そして、クレーンゲーム機全体で幼児に人気のあるキャラクター等で統一し、音声もキャラクターの声や歌等を用いることにより幼児に人気のあるクレーンゲーム機を提供することができる。
【００７３】
そして、図１０に示すように、メイン基板は、制御装置１５１を備え、この制御装置１５１に主スイッチ１５２、第一ボタン２４、第二ボタン２５、モータドライバ１５３、コイン投入センサ１５４、赤外線センサ１５５、音声出力装置１５６、ＬＥＤ群１５７、Ｘ軸モータ９１、Ｙ軸モータ９２、Ｚ軸モータ９３、Ｘ軸スイッチ５８、Ｙ軸スイッチ６０が接続している。
【００７４】
この主スイッチ１５２は、ＯＦＦ状態時には電池からの電力がメイン基板に流れないようにし、ＯＮ状態時には電力をメイン基板に流してコイン投入センサ１５４を待機状態にするものである。
【００７５】
また、第一ボタン２４は、押されている間は制御装置１５１にＸ軸モータ可動信号を出力し、第一ボタン２４が開放されると制御装置１５１は第一ボタン２４を不能とし、その後第二ボタン２５を待機状態とするものである。そして、第二ボタン２５は、押されている間は制御装置１５１にＹ軸モータ可動信号を出力し、制御装置１５１は第二ボタン２５が開放されるとＹ軸モータの可動を停止して、Ｚ軸モータ９３にＺ軸モータ可動信号を出力するものである。
【００７６】
更に、コイン投入センサ１５４は、コイン投入口２３からコインが投入されたことを検知すると制御装置１５１にゲーム開始信号を出力し、制御装置１５１は、ゲーム開始信号を受信すると音声出力装置１５６に所定の音声出力信号を出力すると共に、ＬＥＤ群１５７に所定の発光信号を出力するものである。
【００７７】
また、赤外線センサ１５５は、景品６が景品落下口３７を通過するのを検知しており、景品６を検知すると制御装置１５１に取得成功信号を出力し、制御装置１５１は取得成功信号を受信すると、音声出力装置１５６に取得成功時に流す所定の音声出力信号を出力すると共に、ＬＥＤ群１５７に所定の発光信号を出力するものである。
【００７８】
また、音声出力装置１５６は、制御装置１５１からの所定の音声出力信号を受信すると所定の音声出力信号に合った音声を出力するものであり、ＬＥＤ群１５７も同様に、制御装置１５１からの所定の発光信号を受信すると所定の音声出力信号に合った発光パターンで発光するものである。
【００７９】
そして、モータドライバ１５３は、制御装置１５１からの駆動制御信号を受信すると、信号に対応する電力をＸ軸モータ９１、Ｙ軸モータ９２及びＺ軸モータ９３に送出してモータの駆動を制御し、Ｘ軸モータ９１は、モータドライバ１５３の制御に従ってクレーン本体５４をＸ軸方向に可動させ、Ｙ軸モータ９２は、モータドライバ１５３の制御に従ってＹ軸方向に可動させ、Ｚ軸モータ９３も同様にモータドライバ１５３の制御に従ってＺ軸方向の可動をさせるものである。
【００８０】
また、Ｘ軸スイッチ５８は、クレーン本体５４が原点位置に復帰する場合にクレーン本体５４に押されることでＸ軸モータ停止信号を制御装置１５１に出力するものである。また、Ｙ軸スイッチ６０は、クレーン本体５４が原点位置に復帰する場合にクレーン本体５４に押されることでＹ軸モータ停止信号を制御装置１５１に出力するものである。
【００８１】
本発明によれば、クレーン本体５４が動かなくなった場合でも、クレーン本体５４の外部に設置されたローラ６８，６９，７０を手動で回転させることにより、クレーン本体５４の内部の回転伝達機構を動かすことができ、容易にクレーン本体の動作を復帰させることができる。
【００８２】
以上、本発明の実施形態を説明したが、本発明は本実施形態によって限定されることはなく、種々の形態で実施することができる。
【符号の説明】
【００８３】
１      クレーンゲーム機                        ２  台座部
３      収納部                                  ４  クレーン部
５      屋根                                    ６  景品
２１    台座部本体                            ２２  景品載置板
２３    コイン投入口                          ２４  第一ボタン
２５    第二ボタン                            ２６  制御部設置板
３１    景品取り出し口                        ３２  コイン収納箱
３４    周縁カバー                            ３５  景品受け皿
３６    景品誘導壁                            ３７  景品落下口
４１    支柱                                  ４２  透光板
５２    可動部支持枠
５３    摺動枠                                ５４  クレーン本体
５５    Ｘ軸摺動ラック                        ５７  Ｙ軸摺動ラック
５８    Ｘ軸スイッチ                          ５９  平面
６０    Ｙ軸スイッチ                          
６２    Ｘ軸可動軸                            ６３  Ｙ軸可動軸
６５    キャッチャー                          ６６  第一チェーン
６７    第二チェーン                          ６８  ローラ
７１    キャッチャー本体部                    ７２  上部支持部
７３    把持部材                              ７４  把持軸
７５    ピン                                  ７６  立壁板
７７    腕部                                  ７８  第一チェーン接続部
７９    穴
８１    支持部材                              ８２  連結部材
８３    第二チェーン接続部                    ８４  下部突起
９１    Ｘ軸モータ                            ９２  Ｙ軸モータ
９３    Ｚ軸モータ                            ９４  シャフト
９５    ギア
１５１  制御装置
１５２  主スイッチ                          １５３  モータドライバ
１５４  コイン投入センサ                    １５５  赤外線センサ
１５６  音声出力装置                        １５７  ＬＥＤ群
【図１】
0006633327.tif 000002
【図２】
0006633327.tif 000003
【図３】
0006633327.tif 000004
【図４】
0006633327.tif 000005
【図５】
0006633327.tif 000006
【図６】
0006633327.tif 000007
【図７】
0006633327.tif 000008
【図８】
0006633327.tif 000009
【図９】
0006633327.tif 000010
【図１０】
0006633327.tif 000011